(57)【要約】  商品を収納する商品収納部１１とこれに連通する商品取出部１９とを有する自動販売機本体の前面に形成された商品取出口３１と、前後方向に沿って揺動する態様で上端部が自動販売機本体に軸支され、前方に向けて揺動する場合に商品取出口３１を閉塞し、後方に向けて揺動する場合に商品取出口３１を開放する商品取出扉４０とを備えた自動販売機の商品取出口３１構造において、商品取出扉４０に左右方向に沿って延在する防盗軸部５１ｂを介して連結されるとともに自動販売機本体に移動可能に支持されることにより、商品取出扉４０の揺動に応じて商品取出扉４０の後面に近接離反する態様で変位可能に設けられ、かつ商品取出扉４０が商品取出口３１を閉塞する場合には商品取出扉４０の後面に接する待機姿勢となる一方、商品取出扉４０が開放位置まで揺動する場合には商品取出扉４０とともに商品収納部１１と商品取出部１９とを遮断する防盗部材５０を備えている。
2017046924.tif 000002
【特許請求の範囲】
【請求項１】
商品を収納する商品収納部と該商品収納部に連通する商品取出部とを有する自動販売機本体の前面に形成された商品取出口と、
前後方向に沿って揺動する態様で上端部が前記自動販売機本体に軸支され、かつ前方に向けて揺動する場合に前記商品取出口を閉塞する一方、後方に向けて揺動する場合に前記商品取出口を開放する商品取出扉と
を備え、
前記商品取出扉が開放位置まで後方に揺動して前記商品取出口を開放する場合に、前記商品収納部から前記商品取出部に搬送された商品を取出可能にする自動販売機の商品取出口構造において、
前記商品取出扉に左右方向に沿って延在する軸部を介して連結されるとともに前記自動販売機本体に移動可能に支持されることにより、商品取出扉の揺動に応じて該商品取出扉の後面に近接離反する態様で変位可能に設けられ、かつ前記商品取出扉が前記商品取出口を閉塞する場合には該商品取出扉の後面に接する待機姿勢となる一方、前記商品取出扉が前記開放位置まで揺動する場合には該商品取出扉とともに前記商品収納部と前記商品取出部とを遮断する防盗部材を備えたことを特徴とする自動販売機の商品取出口構造。
【請求項２】
前記防盗部材は、
下端部が前記軸部を介して前記商品取出扉の下端部に連結された防盗板部と、
一端が前記防盗板部に連結され、かつ他端に取り付けられたローラが前記自動販売機本体の前記商品取出口の下方に形成されたレールに案内される態様で支持された左右一対のアーム部と
を備え、
前記商品取出扉が前記商品取出口を閉塞する場合には前記防盗板部が該商品取出扉の後面に接する一方、前記商品取出扉が前記開放位置まで揺動する場合には前記防盗板部が該商品取出扉とともに前記商品収納部と前記商品取出部とを遮断することを特徴とする請求項１に記載の自動販売機の商品取出口構造。
【請求項３】
前記レールは、前記商品取出扉が前記商品取出口を閉塞する場合に前記ローラを下限位置に案内する一方、前記商品取出扉が前記開放位置に至る場合に前記ローラを上限位置に案内するものであって、
前記下限位置から上方に向かうに連れて漸次前方に傾斜する第１案内部と、
前記第１案内部の延在端部より上方に向けて延在する第２案内部と、
前記第２案内部の延在端部より上方に向かうに連れて漸次後方に傾斜して延在し、前記上限位置に至る第３案内部と
を備えたことを特徴とする請求項２に記載の自動販売機の商品取出口構造。
【請求項４】
前記防盗部材が前記待機姿勢になった場合に、該防盗部材に設けられた突部に押圧されることで該防盗部材が待機姿勢になったことを検出する検出手段を備えたことを特徴とする請求項１〜３のいずれか１つに記載の自動販売機の商品取出口構造。
【請求項５】
前記商品取出扉は、断熱構造を有することを特徴とする請求項１〜４のいずれか一つに記載の自動販売機の商品取出口構造。
【発明の詳細な説明】
【技術分野】
【０００１】
本発明は、商品の販売を行う自動販売機の商品取出口構造に関するものである。
【背景技術】
【０００２】
従来、商品の販売を行う自動販売機には、商品収納部の商品ラックに収納された商品を搬送トレイに繰り出した後、搬送トレイによって搬送して所定の商品取出部に払い出すようにしたものがある。商品取出部は、商品取出口を介して外部に連通された部位であり、利用者が商品取出口から手を差し入れれば、購入した商品の取り出しが可能である。【０００３】
通常、この種の自動販売機では、前面を構成する扉体がガラス等の透明な面材によって構成されており、商品収納部における商品ラックに収納された商品を外部から視認して選択することが可能であり、更に、商品ラックから繰り出された購入商品が搬送トレイによって商品取出部まで搬送される状態を観察することができる。このように商品収納部の内部が視認可能な自動販売機によれば、利用者の購買意欲を高めることができる等の利点がある。【０００４】
そして、このような自動販売機では、商品取出口は商品取出扉により開閉可能なものであり、かかる商品取出扉は、上端部が軸支されて下端部が前後方向に揺動することで商品取出口を開閉させるものであった（例えば、特許文献１参照）。
【先行技術文献】
【特許文献】
【０００５】
【特許文献１】特許第３４１４９０４号公報
【発明の概要】
【発明が解決しようとする課題】
【０００６】
ところで、近年においては、自動販売機で販売される商品も多様化しており、以前は販売が困難であった弁当等のように商品姿勢を変えてしまうと商品中身が崩れてしまうような商品も販売されつつある。【０００７】
そこで、搬送トレイによって商品を搬送して商品取出部に払い出すのではなく、搬送トレイに載置した状態で商品取出部まで商品を搬送し、商品取出扉が揺動して商品取出口が開放されることで、該商品取出口を通じて搬送トレイに載置した商品を取り出させるようにした自動販売機が提案されている。【０００８】
しかしながら、このように搬送トレイに商品を載置した状態で商品取出部まで商品を搬送する自動販売機では、商品取出部と商品収納部とが連通しているため、悪意のある者が商品取出口から腕等を侵入させることにより商品収納部の商品ラックに収納された商品を取り出すことが可能となる虞れがあり、防盗性を確保することが要求される。【０００９】
本発明は、上記実情に鑑みて、商品取出部まで商品が搬送されることを許容しつつ、防盗性を良好なものとすることができる自動販売機の商品取出口構造を提供することを目的とする。
【課題を解決するための手段】
【００１０】
上記目的を達成するために、本発明に係る自動販売機の商品取出口構造は、商品を収納する商品収納部と該商品収納部に連通する商品取出部とを有する自動販売機本体の前面に形成された商品取出口と、前後方向に沿って揺動する態様で上端部が前記自動販売機本体に軸支され、かつ前方に向けて揺動する場合に前記商品取出口を閉塞する一方、後方に向けて揺動する場合に前記商品取出口を開放する商品取出扉とを備え、前記商品取出扉が開放位置まで後方に揺動して前記商品取出口を開放する場合に、前記商品収納部から前記商品取出部に搬送された商品を取出可能にする自動販売機の商品取出口構造において、前記商品取出扉に左右方向に沿って延在する軸部を介して連結されるとともに前記自動販売機本体に移動可能に支持されることにより、商品取出扉の揺動に応じて該商品取出扉の後面に近接離反する態様で変位可能に設けられ、かつ前記商品取出扉が前記商品取出口を閉塞する場合には該商品取出扉の後面に接する待機姿勢となる一方、前記商品取出扉が前記開放位置まで揺動する場合には該商品取出扉とともに前記商品収納部と前記商品取出部とを遮断する防盗部材を備えたことを特徴とする。【００１１】
また本発明は、上記自動販売機の商品取出口構造において、前記防盗部材は、下端部が前記軸部を介して前記商品取出扉の下端部に連結された防盗板部と、一端が前記防盗板部に連結され、かつ他端に取り付けられたローラが前記自動販売機本体の前記商品取出口の下方に形成されたレールに案内される態様で支持された左右一対のアーム部とを備え、前記商品取出扉が前記商品取出口を閉塞する場合には前記防盗板部が該商品取出扉の後面に接する一方、前記商品取出扉が前記開放位置まで揺動する場合には前記防盗板部が該商品取出扉とともに前記商品収納部と前記商品取出部とを遮断することを特徴とする。【００１２】
また本発明は、上記自動販売機の商品取出口構造において、前記レールは、前記商品取出扉が前記商品取出口を閉塞する場合に前記ローラを下限位置に案内する一方、前記商品取出扉が前記開放位置に至る場合に前記ローラを上限位置に案内するものであって、前記下限位置から上方に向かうに連れて漸次前方に傾斜する第１案内部と、前記第１案内部の延在端部より上方に向けて延在する第２案内部と、前記第２案内部の延在端部より上方に向かうに連れて漸次後方に傾斜して延在し、前記上限位置に至る第３案内部とを備えたことを特徴とする。【００１３】
また本発明は、上記自動販売機の商品取出口構造において、前記防盗部材が前記待機姿勢になった場合に、該防盗部材に設けられた突部に押圧されることで該防盗部材が待機姿勢になったことを検出する検出手段を備えたことを特徴とする。【００１４】
また本発明は、上記自動販売機の商品取出口構造において、前記商品取出扉は、断熱構造を有することを特徴とする。
【発明の効果】
【００１５】
本発明によれば、防盗部材が、商品取出扉が商品取出口を閉塞する場合には商品取出扉の後面に接する待機姿勢となるので、商品収納部から商品取出部まで商品が搬送されることを許容する。そして、防盗部材が、商品取出扉が開放位置まで揺動する場合には商品取出扉とともに商品収納部と商品取出部とを遮断するので、商品取出口から腕等を挿入された場合でも手指が商品収納部に到達することを抑制できる。従って、商品取出部まで商品が搬送されることを許容しつつ、防盗性を良好なものとすることができるという効果を奏する。
【図面の簡単な説明】
【００１６】
【図１】図１は、本発明の実施の形態である商品取出口構造が適用された自動販売機の内部構造を模式的に示す断面側面図である。
【図２】図２は、本発明の実施の形態である自動販売機の商品取出口構造の主要構成要素を分解して示す分解斜視図である。
【図３】図３は、商品取出口を閉塞する場合の商品取出扉及び防盗部材を示す斜視図である。
【図４】図４は、商品取出口を閉塞する場合の商品取出扉及び防盗部材を示す右側面図である。
【図５】図５は、図２〜図４に示した支持部材を示す右側面図である。
【図６】図６は、商品取出口構造の要部を分解して示す分解斜視図である。
【図７】図７は、商品取出口構造の要部を示す斜視図である。
【図８】図８は、図２に示した商品取出扉及び防盗部材の動作を示す斜視図である。
【図９】図９は、図２に示した商品取出扉及び防盗部材の動作を示す右側面図である。
【図１０】図１０は、図２に示した商品取出扉及び防盗部材の動作を示す斜視図である。
【図１１】図１１は、図２に示した商品取出扉及び防盗部材の動作を示す右側面図である。
【図１２】図１２は、図２に示した商品取出扉及び防盗部材の動作を示す斜視図である。
【図１３】図１３は、図２に示した商品取出扉及び防盗部材の動作を示す右側面図である。
【図１４】図１４は、本発明の実施の形態である商品取出口構造の変形例の主要構成要素の動作を示す斜視図である。
【図１５】図１５は、本発明の実施の形態である商品取出口構造の変形例の主要構成要素の動作を示す右側面図である。
【図１６】図１６は、本発明の実施の形態である商品取出口構造の変形例の主要構成要素の動作を示す斜視図である。
【図１７】図１７は、本発明の実施の形態である商品取出口構造の変形例の主要構成要素の動作を示す右側面図である。
【図１８】図１８は、本発明の実施の形態である商品取出口構造の変形例の主要構成要素の動作を示す斜視図である。
【図１９】図１９は、本発明の実施の形態である商品取出口構造の変形例の主要構成要素の動作を示す右側面図である。
【発明を実施するための形態】
【００１７】
以下に添付図面を参照して、本発明に係る自動販売機の商品取出口構造の好適な実施の形態について詳細に説明する。
【００１８】
図１は、本発明の実施の形態である商品取出口構造が適用された自動販売機の内部構造を模式的に示す断面側面図である。ここで例示する自動販売機は、本体キャビネット１０及び前面扉３０を備えている。
【００１９】
本体キャビネット１０は、前面扉３０とともに自動販売機本体を構成するものであり、前面が開口した直方状の形態を成している。この本体キャビネット１０の内部には、断熱構造の商品収納部１１が設けてある。商品収納部１１には、商品ラック１２が上下方向に沿って複数段設けてある。これら商品ラック１２は、それぞれ商品収納部１１の左右両側に立設された図示せぬラック支持側板間に架設してある。各商品ラック１２は、複数の商品収納コラムが左右に並設されて構成してあり、それぞれの商品収納コラムで商品を前後方向に沿って収納するものである。
【００２０】
また、商品収納部１１には冷却手段としての蒸発器１３が設けてある。蒸発器１３は、機械室１４に設けられた圧縮機１５や凝縮器１６等と冷媒を循環させる冷凍サイクルを構成しており、自身の図示せぬ冷媒通路を通過する冷媒と、自身の周囲を通過する空気とを熱交換させて該空気を冷却するものである。ここで機械室１４は、本体キャビネット１０の内部において商品収納部１１の下方側に画成された室である。
【００２１】
蒸発器１３の周囲で冷却された空気は、庫内送風ファン１７が駆動することにより、商品収納部１１の背面に設置された背面ダクト１８の吸込口１８ａより通風路１８ｃに吸い込まれ、この通風路１８ｃを通過した後に吹出口１８ｂから吹き出されることにより、商品ラック１２に収納された商品を冷却することになる。
【００２２】
上記本体キャビネット１０における商品ラック１２の前方域には、その両側に左右一対となる態様で搬送レール２０が設けられ、これら搬送レール２０間を搬送トレイ２１が図示せぬ搬送機構により上下方向に沿って移動可能に設けてある。つまり、搬送レール２０間には、搬送トレイ２１を通過させるための搬送通路２２が形成してある。
【００２３】
この搬送通路２２は、機械室１４の前方域である商品取出部１９まで延在している。この商品取出部１９は、搬送通路２２を通じて商品収納部１１に連通しており、機械室１４とは区画断熱材１４ａにより区画されている。
【００２４】
前面扉３０は、本体キャビネット１０の前面開口を開閉するもので、本体キャビネット１０の一側縁部に揺動移動に設けてある。この前面扉３０は、断熱構造を有するものであり、商品収納部１１の前方側部分に、外部より商品収納部１１の視認を可能にする断熱性のガラス板（図示せず）を有しているとともに、このガラス板の下部に矩形状の商品取出口３１が形成してある。
【００２５】
商品取出口３１は、搬送トレイ２１を通じて商品収納部１１から商品取出部１９に搬送された商品を利用者が取り出すための開口である。以下において、自動販売機の商品取出口構造について説明する。
【００２６】
図２は、本発明の実施の形態である自動販売機の商品取出口構造の主要構成要素を分解して示す分解斜視図である。ここで例示する自動販売機の商品取出口構造は、商品取出扉４０と防盗部材５０とを備えて構成してある。
【００２７】
商品取出扉４０は、矩形状の形態を成すものであり、上端部に形成された複数の軸保持部４１に左右方向に沿って延在する扉軸部４２が挿通して保持されており、該扉軸部４２が前面扉３０に架設されることで該扉軸部４２の中心軸回りに揺動可能に設けてある。すなわち、商品取出扉４０は、前後方向に沿って揺動することで商品取出口３１を開閉するよう上端部が前面扉３０（自動販売機本体）に軸支されている。
【００２８】
この商品取出扉４０は、後方に向けて揺動してその揺動限界位置である開放位置に至る場合に、商品取出口３１を通じて、商品取出部１９まで搬送された商品を取出可能にするものである。また商品取出扉４０は、前方に向けて揺動して、図３及び図４に示すように、その揺動限界位置である閉塞位置に至る場合に、商品取出口３１を閉塞するものである。かかる商品取出扉４０は、常態においては、自重によるモーメントにより商品取出口３１を閉塞するものである。
【００２９】
上記商品取出扉４０は、断熱構造を有している。また商品取出扉４０は、閉塞位置にいる場合に商品取出口３１よりも外方（前方）に突出する膨出部４３を有している。
【００３０】
防盗部材５０は、防盗板部５１とアーム部５２とを備えて構成してある。防盗板部５１は、矩形状の形態を成しており、上下方向及び左右方向が商品取出扉４０をよりも大きいものである。この防盗板部５１は、下端部が商品取出扉４０の下端部と左右方向に沿って延在する防盗軸部５１ａを介して連結してあり、防盗板部５１の前面が商品取出扉４０の後面に対して近接離反する態様で該防盗軸部５１ａの中心軸回りに揺動可能に設けてある。
【００３１】
アーム部５２は、防盗板部５１の右端部及び左端部に連結し、かつ防盗板部５１の下端部より下方に向けて延在する左右一対の長尺状のものである。より詳細に説明すると、右側のアーム部５２は、上端部が防盗板部５１の右端部に連結しており、下端部が防盗板部５１の下端部より下方に向けて延在している。この右側のアーム部５２は、下端部分の右面にローラ５２ａが回転可能に取り付けてある。左側のアーム部５２は、上端部が防盗板部５１の左端部に連結しており、下端部が防盗板部５１の下端部より下方に向けて延在している。この左側のアーム部５２は、下端部分の左面にローラ５２ａが取り付けてある。
【００３２】
このようなアーム部５２は、それぞれ前面扉３０に左右一対となる態様で設けられた支持部材３２により支持されている。
【００３３】
右側の支持部材３２は、前面扉３０の内部において商品取出口３１よりも右方側に上下方向に沿って設けてある。この右側の支持部材３２は、商品取出口３１よりも下方に向けて延在するよう設けてある。この支持部材３２の右面には、図５に示すように、右方に向けて突出する態様でレール３２１が形成してある。レール３２１は、ローラ５２ａの最大径よりも僅かに大きい幅を有しており、第１案内部３２１ａ、第２案内部３２１ｂ及び第３案内部３２１ｃを有している。
【００３４】
第１案内部３２１ａは、最も下方側の部位であり、上方に向かうに連れて漸次前方に傾斜している。第２案内部３２１ｂは、第１案内部３２１ａに連続しており、第１案内部３２１ａの延在端部である上端部より上方に向けて延在している。第３案内部３２１ｃは、第２案内部３２１ｂに連続しており、第２案内部３２１ｂの延在端部である上端部より上方に向かうに連れて漸次後方に傾斜して延在している。
【００３５】
上記右側の支持部材３２には、該レール３２１を臨む部分に該レール３２１の延在方向に沿って延在する長孔３２２が形成してある。長孔３２２は、ローラ５２ａの最大径よりも小さい幅を有しており、ローラ５２ａの回転軸（図示せず）の通過を許容するものである。
【００３６】
そして、図には明示しないが、ローラ５２ａは、回転軸が長孔３２２を右方から貫通してから右側のアームの下端部分の右面に回転可能に取り付けられることで、レール３２１を移動するものである。つまり、右側のアーム部５２は、ローラ５２ａがレール３２１に案内される態様で右側の支持部材３２に支持されている。
【００３７】
左側の支持部材３２は、前面扉３０の内部において商品取出口３１よりも左方側に上下方向に沿って設けてある。この左側の支持部材３２は、商品取出口３１よりも下方に向けて延在するよう設けてある。この支持部材３２の左面には、図には明示しないが、右側の支持部材３２と同様に、左方に向けて突出する態様でレール３２１が形成してある。レール３２１は、ローラ５２ａの最大径よりも僅かに大きい幅を有しており、第１案内部３２１ａ、第２案内部３２１ｂ及び第３案内部３２１ｃを有している。
【００３８】
第１案内部３２１ａは、最も下方側の部位であり、上方に向かうに連れて漸次前方に傾斜している。第２案内部３２１ｂは、第１案内部３２１ａに連続しており、第１案内部３２１ａの延在端部である上端部より上方に向けて延在している。第３案内部３２１ｃは、第２案内部３２１ｂに連続しており、第２案内部３２１ｂの延在端部である上端部より上方に向かうに連れて漸次後方に傾斜して延在している。
【００３９】
上記左側の支持部材３２には、該レール３２１を臨む部分に該レール３２１の延在方向に沿って延在する長孔３２２が形成してある。長孔３２２は、ローラ５２ａの最大径よりも小さい幅を有しており、ローラ５２ａの回転軸（図示せず）の通過を許容するものである。
【００４０】
そして、図には明示しないが、ローラ５２ａは、回転軸が長孔３２２を左方から貫通してから左側のアームの下端部分の左面に回転可能に取り付けられることで、レール３２１を移動するものである。つまり、左側のアーム部５２は、ローラ５２ａがレール３２１に案内される態様で左側の支持部材３２に支持されている。
【００４１】
上記商品取出口構造においては、商品取出扉４０及び防盗部材５０の他に、閉塞検出センサ（検出手段）６０及びロック機構７０が設けてある。
【００４２】
閉塞検出センサ６０は、図６にも示すように、商品取出口３１の左方側であって左側の支持部材３２よりも右方側に位置する左側部材３３に設けてある。この左側部材３３の後面には矩形状開口３３１が形成してあり、閉塞検出センサ６０の接触子６１は、この矩形状開口３３１の前方側において該矩形状開口３３１を臨むよう設けてある。このような閉塞検出センサ６０は、図３及び図４に示すように商品取出扉４０が商品取出口３１を閉塞する場合に、図７に示すように、防盗板部５１に形成された突部５１ｂが商品取出扉４０の左端部に形成された貫通孔４４及び矩形状開口３３１を貫通して接触子６１を押圧することでオン状態となって、オン信号を図示せぬ制御部に与えるものである。
【００４３】
ロック機構７０は、商品取出口３１の右方側であって右側の支持部材３２よりも左方側に位置する右側部材３４に設けてあり、ソレノイド７１とフック部７２とを有している。
【００４４】
ソレノイド７１は、制御部から駆動指令が与えられることにより通電状態となって図示せぬプランジャをプランジャスプリング（図示せず）の付勢力に抗して下方に向けて吸引するものである。ここでプランジャは、上下方向に沿って移動可能に設けてあり、常態においては、プランジャスプリングの付勢力により上方に移動した状態となっている。
【００４５】
フック部７２は、プランジャの上端部に係合しており、図には明示しないが、プランジャが上方に移動した状態では係合姿勢となる一方、プランジャがソレノイド７１に吸引されて下方に移動した状態では非係合姿勢となるものである。このフック部７２は、商品取出扉４０が商品取出口３１を閉塞する場合に係合姿勢となるときには、防盗板部５１に設けられた図示せぬ係合部と係合することが可能であり、商品取出扉４０が後方に向けて揺動することを規制するものである。
【００４６】
以上のような構成を有する商品取出口構造の動作について説明する。販売待機状態では、図３及び図４に示すように、商品取出扉４０が自重によるモーメントにより商品取出口３１を閉塞している。このように商品取出扉４０が商品取出口３１を閉塞する場合、防盗部材５０は、アーム部５２のローラ５２ａがレール３２１の最下部となる下限位置に案内され、かつ防盗板部５１の前面が商品取出扉４０の後面に接した待機姿勢となる。また、ロック機構７０のソレノイド７１が非通電状態となっておりフック部７２が係合部と係合して商品取出扉４０が後方に向けて揺動することが規制されている。
【００４７】
かかる販売待機状態において利用者により所望の金銭が投入されるとともに商品が選択されることにより、搬送トレイ２１が当該商品を収納する商品収納コラムから該商品を受容し、搬送機構により搬送通路２２を下方に向けて移動する。その後、搬送トレイ２１が商品収納部１１から商品取出部１９まで移動して停止する。
【００４８】
搬送トレイ２１が商品取出部１９まで移動したことを検知手段を通じて検知した制御部がソレノイド７１を通電状態にさせることにより、フック部７２が非係合姿勢となり、係合部との係合状態が解除される。かかる制御部は、その後ソレノイド７１を非通電状態にさせる。これによりプランジャがプランジャスプリングに付勢されて上方に移動した状態となる。
【００４９】
そして、利用者が商品取出扉４０を前方から押圧すると、図８及び図９に示すように、閉塞位置にある商品取出扉４０が後方に向けて揺動する。商品取出扉４０が後方に向けて揺動することにより、防盗部材５０は、ローラ５２ａがレール３２１の第１案内部３２１ａを通過する。ここで第１案内部３２１ａは、下限位置より上方に向かうに連れて漸次前方に傾斜して延在しているので、商品取出扉４０が閉塞位置から僅かに後方に揺動した場合でも、防盗板部５１の前面が商品取出扉４０の後面から離隔して防盗部材５０を後方に傾斜した姿勢にすることができる。
【００５０】
このように後方に揺動する商品取出扉４０は、利用者に押圧されることにより、図１０及び図１１に示すように更に後方に動揺し、ローラ５２ａがレール３２１の第２案内部３２１ｂを通過する。このようにローラ５２ａが第２案内部３２１ｂを通過する防盗部材５０は、商品取出扉４０の後方への揺動に伴って、防盗軸部５１ａの中心軸回りに更に後方に傾斜する。
【００５１】
利用者に押圧されることで、商品取出扉４０が後方に更に揺動すると、ローラ５２ａがレール３２１の第３案内部３２１ｃを通過する。ここで第３案内部３２１ｃは、上方に向かうに連れて漸次後方に傾斜して延在しているので、防盗部材５０が後方に傾斜した姿勢で全体的に後方に変位する。
【００５２】
そして、図１２及び図１３に示すように、ローラ５２ａがレール３２１の最上部となる上限位置に至ることで、商品取出扉４０は開放位置となる。換言すると、商品取出扉４０が開放位置に至ることでローラ５２ａがレール３２１の上限位置に案内される。
【００５３】
このように商品取出扉４０が開放位置に至り、かつローラ５２ａが上限位置に案内されることで、防盗部材５０は、防盗板部５１の上端部が区画断熱材１４ａの上端部に当接し、商品取出扉４０とともに商品収納部１１と商品取出部１９とを遮断する。
【００５４】
商品取出扉４０が開放位置に至ることで、利用者は、商品取出口３１を通じて搬送トレイ２１により搬送され、かつ搬送トレイ２１に載置される商品を取り出すことが可能である。
【００５５】
その後、搬送トレイ２１に載置された商品が商品取出口３１を通じて取り出されると、商品取出扉４０は、利用者により押圧された状態から解放されてフリーな状態となる。そうすると、商品取出扉４０は、自重によるモーメントにより前方に向けて揺動する。
【００５６】
この商品取出扉４０の前方への揺動に伴い、防盗部材５０は、ローラ５２ａが第３案内部３２１ｃ、第２案内部３２１ｂ及び第１案内部３２１ａの順に案内されるようレール３２１を下方に向けて移動することで防盗板部５１の前面が商品取出扉４０の後面に近接するよう変位する。
【００５７】
そして、図３及び図４に示すように、商品取出扉４０が閉塞位置まで揺動して商品取出口３１を閉塞する場合に、防盗部材５０は、ローラ５２ａがレール３２１の下限位置に案内されつつ防盗板部５１の前面が商品取出扉４０の後面に接した待機姿勢となる。
【００５８】
このように防盗部材５０が待機姿勢となることにより、防盗板部５１の係合部がフック部７２と係合するとともに、防盗板部５１の突部５１ｂが商品取出扉４０の貫通孔４４及び左側部材３３の矩形状開口３３１を貫通して閉塞検出センサ６０の接触子６１を押圧する。これにより閉塞検出センサ６０がオン状態となって、オン信号を制御部に与える。この結果、制御部が搬送トレイ２１を上方に向けて移動させて所定の待機位置に配置させる。
【００５９】
以上説明したような自動販売機の商品取出口構造においては、防盗部材５０が、商品取出扉４０が商品取出口３１を閉塞する場合には商品取出扉４０の後面に接する待機姿勢となるので、商品収納部１１から商品取出部１９まで搬送トレイ２１により商品が搬送されることを許容する。そして、防盗部材５０が、商品取出扉４０が開放位置まで揺動する場合には商品取出扉４０とともに商品収納部１１と商品取出部１９とを遮断するので、商品取出口３１から腕等を挿入された場合でも手指が商品収納部１１に到達することを抑制できる。従って、上記商品取出口構造によれば、商品取出部１９まで商品が搬送されることを許容しつつ、防盗性を良好なものとすることができる。
【００６０】
上記商品取出口構造によれば、レール３２１を構成する第１案内部３２１ａが下限位置から上方に向かうに連れて漸次前方に傾斜する態様で延在していることで、商品取出扉４０が閉塞位置から僅かに後方に揺動した場合でも、防盗板部５１の前面が商品取出扉４０の後面から離隔して防盗部材５０を後方に傾斜した姿勢にすることができ、これにより商品取出扉４０が開放位置まで到達しない程度に後方に揺動したときにでも防盗性を確保することができる。
【００６１】
上記商品取出口構造によれば、レール３２１を構成する第３案内部３２１ｃが上方に向かうに連れて漸次後方に傾斜して延在していることで防盗部材５０が後方に傾斜した姿勢で全体的に後方に変位することができ、これにより防盗部材５０の上端部（防盗板部５１の上端部）を区画断熱材１４ａに当接させることができ、防盗性を確保することができる。
【００６２】
特に、第３案内部３２１ｃがそのように延在していることで、開放位置にある商品取出扉４０が前方に向けて揺動する場合に、防盗部材５０は、後方に傾斜した姿勢で全体的に前方に変位することになる。これにより、防盗部材５０の上端部は、区画断熱材１４ａの前面と摺動することなく離隔することができ、商品取出扉４０の前方への揺動に対して防盗部材５０が区画部材との間で摩擦抵抗を生ずることを防止することができる。
【００６３】
上記商品取出口構造によれば、閉塞検出センサ６０が接触子６１が突部５１ｂに押圧されることで防盗部材５０が待機姿勢になったことを検出するので、防盗部材５０が待機姿勢となったことを検出してから搬送トレイ２１を移動させることができ、防盗部材５０と搬送トレイ２１が干渉してしまうことを回避することができる。
【００６４】
次に、本発明の実施の形態である自動販売機の商品取出口構造の変形例について、図１４〜図１９を用いて簡単に説明する。尚、図１４〜図１９においては、上述した実施の形態である商品取出口構造と同様の構成を有するものには同一の符号を付してその説明を適宜省略する。
【００６５】
図１４及び図１５は、それぞれ本発明の実施の形態である自動販売機の商品取出口構造の変形例を示すもので、図１４は斜視図であり、図１５は右側面図である。ここで例示する自動販売機の商品取出口構造は、商品取出扉４０と防盗部材８０とを備えて構成してある。
【００６６】
防盗部材８０は、レール部８１と、第１防盗板部８２と、第２防盗板部８３とを備えて構成してある。レール部８１は、左右一対の縦材８１１と、これら縦材８１１の上端部同士を連結する上材８１２とを備えて構成してある。
【００６７】
レール部８１は、それぞれの縦材８１１の下端部が前面扉３０の内部において商品取出口３１よりも下方側の下方支持部材３５に軸支されている。これにより、レール部８１は、商品取出扉４０に近接離反する態様で前後方向に揺動可能である。これら縦材８１１には、防盗部材８０の下端部の左右両端に設けられたローラ４５を案内するレール８４がそれぞれ設けてある。
【００６８】
レール部８１の上材８１２は、定荷重バネ８５の一端が連結されている。この定荷重バネ８５は、前面扉３０の内部における商品取出口３１の上方側の上方支持部材３６に巻回された状態で設けてある。かかる定荷重バネ８５は、レール部８１を前方に向けて付勢するものである。これにより、レール部８１は、定荷重バネ８５により前方に向けて付勢されている。
【００６９】
第１防盗板部８２は、矩形平板状の形態を成しており、上端部の図示せぬ軸状部が商品取出扉４０の背面の上方部位に軸支されている。これにより第１防盗板部８２は、前面が商品取出扉４０の背面に近接離反する態様で軸状部の軸心回りに揺動可能に設けてある。
【００７０】
第２防盗板部８３は、第１防盗板部８２よりも大きい矩形平板状の形態を成している。この第２防盗板部８３は、上端部に形成された保持部８３１に左右方向に沿って延在する第１軸部８６が挿通して保持されており、該第１軸部８６がレール部８１の縦材８１１に架設されることで該第１軸部８６の中心軸回りに揺動可能に設けてある。この第２防盗板部８３は、下端部が第１防盗板部８２の下端部と左右方向に沿って延在する第２軸部８７を介して連結している。
【００７１】
以上のような構成を有する商品取出口構造の動作について説明する。販売待機状態では、図１６及び図１７に示すように、商品取出扉４０が商品取出口３１を閉塞している。この場合、防盗部材８０は、定荷重バネ８５により前方に向けて揺動した待機姿勢となり、第１防盗板部８２の前面が商品取出扉４０の後面に接していて第２防盗板部８３の前面が第１防盗板部８２の後面に接した状態となっている。また、ロック機構７０のソレノイド７１が非通電状態となっておりフック部７２が商品取出扉４０の右端部に設けられた係合部４６（図１８参照）と係合して商品取出扉４０が後方に向けて揺動することが規制されている。
【００７２】
かかる販売待機状態において利用者により所望の金銭が投入されるとともに商品が選択されることにより、搬送トレイ２１が当該商品を収納する商品収納コラムから該商品を受容し、搬送機構により搬送通路２２を下方に向けて移動する。その後、搬送トレイ２１が商品収納部１１から商品取出部１９まで移動して停止する。
【００７３】
搬送トレイ２１が商品取出部１９まで移動したことを検知手段を通じて検知した制御部がソレノイド７１を通電状態にさせることにより、フック部７２が非係合姿勢となり、係合部４６との係合状態が解除される。かかる制御部は、その後ソレノイド７１を非通電状態にさせる。これによりプランジャがプランジャスプリングに付勢されて上方に移動した状態となる。
【００７４】
そして、利用者が商品取出扉４０を前方から押圧すると、図１４及び図１５に示すように、閉塞位置にある商品取出扉４０が後方に向けて揺動する。商品取出扉４０が後方に向けて揺動することにより、防盗部材８０のレール部８１は、ローラ４５をレール８４にて案内しつつ、定荷重バネ８５の付勢力に抗して後方に向けて揺動する。
【００７５】
利用者に押圧されることで、商品取出扉４０が後方に更に揺動すると、図１８及び図１９に示すように、ローラ４５がレール８４の最上部の上限位置に至り、商品取出扉４０は開放位置となる。換言すると、商品取出扉４０が開放位置に至ることでローラ４５がレール８４の上限位置に案内される。このように商品取出扉４０が開放位置に至り、かつローラ４５が上限位置に案内されることで、防盗部材８０は、レール部８１の上端部が区画断熱材１４ａの上端部に当接する。このとき、防盗部材８０は、レール部８１と商品取出扉４０との間が第１防盗板部８２と第２防盗板部８３とで覆われることで、商品取出扉４０とともに商品収納部１１と商品取出部１９とを遮断する。
【００７６】
商品取出扉４０が開放位置に至ることで、利用者は、商品取出口３１を通じて搬送トレイ２１により搬送され、かつ搬送トレイ２１に載置される商品を取り出すことが可能である。
【００７７】
その後、搬送トレイ２１に載置された商品が商品取出口３１を通じて取り出されると、商品取出扉４０は、利用者により押圧された状態から解放されてフリーな状態となる。そうすると、防盗部材８０は、定荷重バネ８５に付勢されてレール部８１が前方に揺動する。このレール部８１の揺動に伴い商品取出扉４０もローラ４５がレール８４に案内されつつ前方に向けて揺動する。そして、図１６及び図１７に示すように、商品取出扉４０が閉塞位置まで揺動して商品取出口３１を閉塞することとなる。
【００７８】
以上説明したような自動販売機の商品取出口構造においては、防盗部材８０が、商品取出扉４０が商品取出口３１を閉塞する場合には商品取出扉４０の背面に接する待機姿勢となるので、商品収納部１１から商品取出部１９まで搬送トレイ２１により商品が搬送されることを許容する。そして、防盗部材８０が、商品取出扉４０が開放位置まで揺動する場合には商品取出扉４０とともに商品収納部１１と商品取出部１９とを遮断するので、商品取出口３１から腕等を挿入された場合でも手指が商品収納部１１に到達することを抑制できる。従って、上記商品取出口構造によれば、商品取出部１９まで商品が搬送されることを許容しつつ、防盗性を良好なものとすることができる。
【００７９】
しかも、上記商品取出口構造によれば、防盗部材８０を構成するレール部８１が定荷重バネ８５により前方に向けて付勢されているので、商品取出扉４０を前方に付勢することができ、これにより商品取出口３１を商品取出扉４０で確実に閉塞させることができる。
【００８０】
以上、本発明の好適な実施の形態について説明したが、本発明はこれに限定されるものではなく、種々の変更を行うことができる。
【００８１】
上述した実施の形態では、商品取出口構造は、自動販売機本体を構成する前面扉３０に設けられていたが、本発明においては、商品取出口構造は、前面扉に設けられている必要はなく、自動販売機本体の前面に設けられていればよい。すなわち、自動販売機本体が、前面に商品取出口を有し、後面に開口が形成された本体キャビネットと、この本体キャビネットの後面開口を開閉する後面扉とにより構成される場合、商品取出口構造は、本体キャビネットの前面に設けられることになる。
【符号の説明】
【００８２】
１０  本体キャビネット
１１  商品収納部
１２  商品ラック
１９  商品取出部
２１  搬送トレイ
３０  前面扉
３１  商品取出口
３２  支持部材
３２１  レール
３２１ａ  第１案内部
３２１ｂ  第２案内部
３２１ｃ  第３案内部
３２２  長孔
３３  左側部材
３３１  矩形状開口
３４  右側部材
４０  商品取出扉
５０  防盗部材
５１  防盗板部
５１ａ  防盗軸部
５１ｂ  突部
５２  アーム部
５２ａ  ローラ
６０  閉塞検出センサ（検出手段）
６１  接触子
７０  ロック機構
７１  ソレノイド
７２  フック部
【図１】
2017046924.tif 000003
【図２】
2017046924.tif 000004
【図３】
2017046924.tif 000005
【図４】
2017046924.tif 000006
【図５】
2017046924.tif 000007
【図６】
2017046924.tif 000008
【図７】
2017046924.tif 000009
【図８】
2017046924.tif 000010
【図９】
2017046924.tif 000011
【図１０】
2017046924.tif 000012
【図１１】
2017046924.tif 000013
【図１２】
2017046924.tif 000014
【図１３】
2017046924.tif 000015
【図１４】
2017046924.tif 000016
【図１５】
2017046924.tif 000017
【図１６】
2017046924.tif 000018
【図１７】
2017046924.tif 000019
【図１８】
2017046924.tif 000020
【図１９】
2017046924.tif 000021
【国際調査報告】
2017046924.tif 000022
2017046924.tif 000023
2017046924.tif 000024
2017046924.tif 000025